(57)【特許請求の範囲】
【請求項１】
巻取りシャフトと、該巻取りシャフトに巻装されたシャッターカーテンと、巻取りシャフトの左右両端部に回転自在に取付けられた支持ブラケットとを備えて構成される建築用シャッター装置を躯体開口部に組み付けるとき支持ブラケットの姿勢を保持する姿勢保持具であって、該姿勢保持具は、支持ブラケットの端縁部に着脱自在に取付けられ、第一、第二の支持部が設けられる取付け体と、第一支持部に基端部が支持され、シャッターカーテンに架け回わされた架け回し部よりも先端側の折返し部を第二支持部に折返し状に支持させ、さらに該折返し部よりも先端側の先端部を前記架け回し部の外面に積層される長尺状のベルト体と、シャッターカーテン外周面とベルト体架け回し部とのあいだを付着する面ファスナーと、ベルト体の架け回し部と先端部とを固定する固定部材とを備え、巻取りシャフトと支持ブラケットとの相対回動を規制して姿勢保持をするように構成したことを特徴とする建築用シャッター装置の姿勢保持具。
【請求項２】
前記固定部材は、ベルト体架け回し部とベルト体先端部とのあいだを付着する面ファスナーであることを特徴とする請求項１記載の建築用シャッター装置の姿勢保持具。
【請求項３】
前記取付け体には、ベルト体に押圧状に当接して緊張を与えるためのテンション部材が設けられていることを特徴とする請求項１又は２記載の建築用シャッター装置の姿勢保持具。
【請求項４】
巻取りシャフトと、該巻取りシャフトに巻装されたシャッターカーテンと、巻取りシャフトの左右両端部に回転自在に取付けられた支持ブラケットを備えて構成される建築用シャッター装置を躯体開口部に取付けるとき支持ブラケットの姿勢を保持するための姿勢保持方法であって、支持ブラケットの端縁部に着脱自在に取付け体を取付ける取付け工程と、取付け体に設けた第一支持部に長尺状のベルト体の基端部を支持する支持工程と、該支持されたベルト体をシャッターカーテンに架け回す架け回し工程と、該架け回した架け回し部よりも先端側を取付け体に設けた第二支持部に支持させるべく折返す折返し工程と、該折返した折返し部よりも先端側の先端部を架け回し部の外面に積層させる積層工程とからなり、前記架け回し工程でシャッターカーテンとベルト体架け回し部とのあいだを面ファスナーで付着させ、前記積層工程でベルト体架け回し部と先端部とを固定部材で固定させるようにして、巻取りシャフトと支持ブラケットとの相対回動を規制して姿勢保持するように構成したことを特徴とする建築用シャッター装置の姿勢保持方法。
【請求項５】
前記積層工程の後に、取付け体に設けたテンション部材でベルト体を押圧状に当接して緊張させる緊張工程があることを特徴とする請求項４記載の建築用シャッター装置の姿勢保持方法。
【発明の詳細な説明】
【技術分野】
【０００１】
本発明は、工場や倉庫、ショッピングセンター等の建築物の開口部に建築用シャッター装置を組み付けるための建築用シャッター装置の姿勢保持具および姿勢保持方法の技術分野に関するものである。
【背景技術】
【０００２】
一般に、この種の建築用シャッター装置のなかには、広い開口部に設けるもののように、シャッターカーテンの左右幅、上下高さともに大型化したものがあり、このようなものでは、シャッターカーテンの重量が重くなるだけでなく、シャッターカーテンを巻装する巻取りシャフトや、該巻取りシャフトを回転自在に支持する左右の支持ブラケットや、巻取りシャフトを回転駆動する開閉機等の各種の部材装置も大型で重量の重いものになる。そしてこのような重量物を躯体高所に組込むことは重労働だけでなく高所作業が強いられることになる。
【０００３】
ところで、前記建築用シャッター装置は、該建築用シャッター装置を持ち上げた場合、左右何れか一方の支持ブラケットに開閉機が設けられていたりするため、仮に支持ブラケットが正方形であって、その中心に巻取りシャフトが取付けられていたとしても、開閉機が取付けられる部位が重いため、支持ブラケットは、該重い側が下側に位置するよう回動した状態になる。このように支持ブラケットが回動した状態の建築用シャッター装置を躯体開口部に組み付ける場合、高所において、前記回動した支持ブラケットを組み付け姿勢に修正しながらの組み付け作業が強いられることになって作業性が悪いだけでなく、作業員の数も多く必要になるという問題がある。
そこでこの改善策として、巻取りシャフトとシャッターカーテンとを連結するための吊り金具に索体の一端部を連結し、該索体の他端部を支持ブラケットに連結して支持ブラケットの巻取りシャフトに対する回転を規制した状態とし、この状態で建築用シャッター装置を持ち上げて躯体開口部に組み付けるようにしたものが知られている（例えば、特許文献１参照。）。
また、巻取りシャフトにリング体を外嵌装着し、該リング体と支持ブラケットとを連結体（ターンバックル）を介して連結することで、支持ブラケットの巻取りシャフトに対する回転規制をし、この状態で持ち上げて支持ブラケットを躯体に組み付けた後、シャッターカーテンを巻取りシャフトに連結するようにしたものが知られている（例えば、特許文献２参照。）。
【先行技術文献】
【特許文献】
【０００４】
【特許文献１】特開２０１０−７３６３号公報
【特許文献２】特開２０１０−２３６２２６号公報
【発明の概要】
【発明が解決しようとする課題】
【０００５】
ところで前記特許文献１のものは、索体で支持ブラケットと巻取りシャフトとを連結するものであるため、索体の延び等により支持ブラケットが僅かではあるが回ってしまい、この回りを修正しながら支持ブラケットを躯体に組み付ける必要があるだけでなく、索体を取外すにはシャッターカーテンを閉鎖状態にして吊り金具を巻取りシャフトに止めているボルトを緩める作業が強いられ、作業性に劣る、という問題がある。
また特許文献２のものでは、巻取りシャフトの大きさ（径）に合わせたリング体を逐一用意する必要があって汎用性に欠けるうえ、このような姿勢保持具を大型のシャッター装置に用いると、姿勢保持具自体が大型化してしまうといった問題があり、さらに、このもののように支持ブラケットを躯体に組み付けた後にシャッターカーテンを吊り込む方法を、大型のシャッター装置を多数取り付ける必要があるような場合に用いると、煩雑な高所作業が多くなって作業性に欠けてしまうといった問題があり、これらに本発明の解決すべき課題がある。
【課題を解決するための手段】
【０００６】
本発明は、上記の如き実情に鑑みこれらの課題を解決することを目的として創作されたものであって、請求項１の発明は、巻取りシャフトと、該巻取りシャフトに巻装されたシャッターカーテンと、巻取りシャフトの左右両端部に回転自在に取付けられた支持ブラケットとを備えて構成される建築用シャッター装置を躯体開口部に組み付けるとき支持ブラケットの姿勢を保持する姿勢保持具であって、該姿勢保持具は、支持ブラケットの端縁部に着脱自在に取付けられ、第一、第二の支持部が設けられる取付け体と、第一支持部に基端部が支持され、シャッターカーテンに架け回わされた架け回し部よりも先端側の折返し部を第二支持部に折返し状に支持させ、さらに該折返し部よりも先端側の先端部を前記架け回し部の外面に積層される長尺状のベルト体と、シャッターカーテン外周面とベルト体架け回し部とのあいだを付着する面ファスナーと、ベルト体の架け回し部と先端部とを固定する固定部材とを備え、巻取りシャフトと支持ブラケットとの相対回動を規制して姿勢保持をするように構成したことを特徴とする建築用シャッター装置の姿勢保持具である。
請求項２の発明は、前記固定部材は、ベルト体架け回し部とベルト体先端部とのあいだを付着する面ファスナーであることを特徴とする請求項１記載の建築用シャッター装置の姿勢保持具である。
請求項３の発明は、前記取付け体には、ベルト体に押圧状に当接して緊張を与えるためのテンション部材が設けられていることを特徴とする請求項１又は２記載の建築用シャッター装置の姿勢保持具である。
請求項４の発明は、巻取りシャフトと、該巻取りシャフトに巻装されたシャッターカーテンと、巻取りシャフトの左右両端部に回転自在に取付けられた支持ブラケットを備えて構成される建築用シャッター装置を躯体開口部に取付けるとき支持ブラケットの姿勢を保持するための姿勢保持方法であって、支持ブラケットの端縁部に着脱自在に取付け体を取付ける取付け工程と、取付け体に設けた第一支持部に長尺状のベルト体の基端部を支持する支持工程と、該支持されたベルト体をシャッターカーテンに架け回す架け回し工程と、該架け回した架け回し部よりも先端側を取付け体に設けた第二支持部に支持させるべく折返す折返し工程と、該折返した折返し部よりも先端側の先端部を架け回し部の外面に積層させる積層工程とからなり、前記架け回し工程でシャッターカーテンとベルト体架け回し部とのあいだを面ファスナーで付着させ、前記積層工程でベルト体架け回し部と先端部とを固定部材で固定させるようにして、巻取りシャフトと支持ブラケットとの相対回動を規制して姿勢保持するように構成したことを特徴とする建築用シャッター装置の姿勢保持方法である。
請求項５の発明は、前記積層工程の後に、取付け体に設けたテンション部材でベルト体を押圧状に当接して緊張させる緊張工程があることを特徴とする請求項４記載の建築用シャッター装置の姿勢保持方法である。
【発明の効果】
【０００７】
請求項１、２、４の発明とすることにより、ベルト体の架け回しや折返し作業というベルト体がズレないように固定するための簡単な作業によって支持ブラケットと巻取りシャフトの回転規制を手早く容易にでき、しかもこの回転規制は、シャッターカーテンの巻き径が異なっていても対応できることになって汎用性が高いものとなり、そしてこのように回転規制した姿勢保持状態で躯体開口部への組み付けができることになって、高所作業の作業性を向上することができる。
請求項３、５の発明とすることにより、支持ブラケットと巻取りシャフトの回転規制をより十分なものとすることができる。
【図面の簡単な説明】
【０００８】
【図１】建築用シャッターの正面図である。
【図２】（Ａ）は姿勢保持具の斜視図、（Ｂ）は姿勢保持具の断面図である。
【図３】（Ａ）は支持ブラケットに姿勢保持具を取り付けた状態を示す断面図、（Ｂ）は第一、第二ベルトの側面断面図である。
【図４】本実施の形態の第一工程を示す側面説明図である。
【図５】本実施の形態の第二工程を示す正面図である。
【図６】（Ａ）〜（Ｄ）は、それぞれ本実施の形態の第二工程を示す部分拡大正面図である。
【図７】本実施の形態の第三工程を示す側面説明図である。
【発明を実施するための形態】
【０００９】
以下、本発明の実施の形態について、図面に基づいて説明する。
図面において、１は大開口に建て付けられる建築用シャッター装置のシャッターカーテンであって、該シャッターカーテン１は、左右方向長尺状のスラット１ａを上下方向に複数連装して構成され、上端部が躯体２に固定される左右一対の支持ブラケット３に回転自在に軸承された巻取りシャフト４に連結されている。そして、巻取りシャフト４は、左右何れか一方の支持ブラケット３に設けた開閉機５にチエンを介して連動連結されており、該開閉機５の正逆駆動に伴う巻取りシャフト４の正逆回転により、シャッターカーテン１が巻取りシャフト４に対して巻き出し、巻き取りされるようになっている。６はシャッターカーテン１の左右両端部をガイドするガイドレールであり、これらの基本構成は従来通りとなっている。
また、前記支持ブラケット３は、本実施の形態では前後方向に長い板材で形成され、上端部には左右方向外方に向けて折曲形成された上片３ａを有している。左右方向一方の支持ブラケット４には、開閉機５が取り付けられた補助ブラケット７が固着されている。
【００１０】
ここで、建築用シャッター装置を躯体２に取り付ける際に、支持ブラケット３が巻取りシャフト４に対して回転しないように回転規制して組み付け姿勢に保持するための姿勢保持具８について説明する。
本実施の形態において前記姿勢保持具８は、後述するように、支持ブラケット３の端縁部に着脱自在に取付けられ、第一、第二支持部１５、１５ａが設けられる取付け体９と、巻取りシャフト４に巻装されているシャッターカーテン１の下半部に貼着される長尺状の第一ベルト１０と、該第一ベルト１０に積層する長尺状の第二ベルト（本発明の「ベルト体」に相当する。）１１と、該第一、第二ベルト１０、１１に設けられる第一、第二面ファスナー１９、２０とを備えて構成されており、これらについて次に詳述する。
【００１１】
前記取付け体９は、前後方向に長尺状をし、前後端部および下端部が開口し、一体形成される第一、第二、第三の片部１２ａ、１２ｂ、１２ｃで断面視略冂字状をした本体片部１２と、断面視略逆Ｌ字状をし、上片１３ａが前記第二片部１２ｂに間隙を存する状態で縦片１３ｂが溶着等の固定手段により前記第三片部１２ｃの内側面に一体的に固着される補助片部１３とを備えて構成されている。
そして取付け体９は、第一片部１２ａが左右方向内側（図２（Ｂ）における左側（シャッターカーテン１側））に位置して支持ブラケット３の左右方向内側面に対向（図面では当接状態になっている)し、第二片部１２ｂが支持ブラケット３の上片３ａに載置された状態で支持ブラケット３に取り付けられるが、第一、第三片部１２ａ、１２ｃの対向間隔が支持ブラケット３の上片３ａ左右幅よりも大きくなっていることで、該支持ブラケット３の上端部に外嵌すると共に、ブラケット上片３ａを第二片部１２ｂと補助片部上片１３ａとのあいだの間隙に挿入する状態で前後方向スライド移動できるようになっている。
【００１２】
さらに取付け体９における前記第一片部１２ａのシャッターカーテン１側面（支持ブラケット３側とは反対側の面）には、前後一対のナット１４、１４ａが溶着等の固定手段により固定され、該ナット１４、１４ａに、後述するよう第二ベルト１１を係止および架け回すための前後一対の支持棒（本発明の「第一、第二支持部」に相当する。）１５、１５ａの先端部分が螺入取付けされている。
さらに前記第一片部１２ａのシャッターカーテン１側面には、テンション金具１６が溶着等の固定手段により固定されているが、該テンション金具１６には、テンション螺子１７がシャッターカーテン１側に向けて貫通するよう出没自在に螺入され、そしてテンション螺子１７の先端には押さえ具１８の中腹部が回転自在に支持されており、後述するように支持棒１５、１５ａに架け回された第二ベルト１１に押さえ具１８を押圧状に当接してテンションをかけることができるようになっている。
【００１３】
そして、前記第二ベルト１１は、基端部１１ａに前記一方の支持棒１５（本実施の形態ではテンション金具１６が設けられる側とは逆側の支持棒１５であるが、テンション金具１６側の支持棒１５ａに係止しても良い。）に支持するためのループ１１ｂが形成され、該ループ１１ｂを一方の支持棒１５に係止した状態で、第一ベルト１０を前記巻装されるシャッターカーテン１の下半部に架け回す架け回し部１１ｃが設けられている。このとき、該架け回し部１１ｃのシャッターカーテン１側面（内面）に設けた第一の面ファスナー１９のＡ面（例えば雄面）と、シャッターカーテン１の外周下半部に移動不能状態（本実施の形態では両面粘着テープで貼着されているが、例えばゴム等の摩擦が大きい素材を用いて滑り止め状態にしてもよい。）にした第一ベルト１０の外面（シャッターカーテン１側とは逆側の面）に設けた第一の面ファスナー１９のＢ面（例えば雌面（雄雌は逆にしても良い。））１９ｂとが互いに付着することで、第一ベルト１０と第二ベルト１１とが位置ズレしないようになっている。
また、第二ベルト１１は、前記架け回し部１１ｃよりも先端側が折返し部１１ｄとなっていて、前記架け回した状態で折返し部１１ｄを他方の支持棒１５ａに折返し状に懸回し、そして折返し部１１ｄよりも先端側の先端部１１ｅを架け回し部１１ｃの外面に積層（重合）させる。このとき、先端部１１ｅの内面（シャッターカーテン側面）に設けた第二の面ファスナー２０のＡ面（例えば雄面）２０ａと、架け回し部１１ｃの外面（シャッターカーテン１側とは逆側の面）に設けた第二の面ファスナー２０のＢ面（例えば雌面）２０ｂとが付着して固定される。そしてこの第一、第二の面ファスナー１９、２０それぞれの固定によって、姿勢保持具８による支持ブラケット３と巻取りシャフト４の自由回転が規制されるようになっている。
さらに、本実施の形態のものでは、前記折返し部１１ｄを支持棒１５ａに懸回する前後において、第二ベルト１１を絞り具２９に通すことで、該懸回部位におけるループの大きさを調整できるように構成されている。
しかしながら、このように回転規制しただけでは第二ベルト１１の延びや弛みがあるため規制が不十分な場合があり、そこで前記テンション螺子１７を捩じ込んで押さえ具１８を押圧状に第二ベルト１１に当接することで第二ベルト１１を緊張させ、十分な回転規制をするようになっている。そして、テンション金具１６、テンション螺子１７、押さえ具１８が本発明の「テンション部材」に相当する。
【００１４】
つぎに、このように躯体開口部２に設けられる建築用シャッター装置を、姿勢保持具８を用いて組み付ける方法について説明する。
＜第一工程＞
第一工程は、建築用シャッター装置を躯体に組み付けるための組み付けユニットＵを構成するために工場で予め行う準備工程となる。まず、図４に示すように、工場においてシャッターカーテン１を巻取りシャフト４に巻装し、巻き取ったシャッターカーテン１が解けないようバンド等の結束手段（図示せず）を用いて結束して、座板１ｂが真上に位置するようにして輸送用架台２１に載置した状態で設置現場へ輸送する。なお、該輸送用架台２１には、輸送中に巻取りシャフト４が回転したり破損したりしてしまわないよう、支持部２１ａ、クッション材２１ｂが備えられている。また、後述する第三工程での持ち上げ作業のため、工場において組み付けユニットＵの重心位置を決定して（印を付けて）おく。
そして、設置現場に輸送されたシャッターカーテン１が巻装された巻取りシャフト４は、クレーンやフォークリフト等の移送手段２２を用いて輸送用架台２１から荷降ろしされ、取付場所に用意された左右一対の台車２３上に移送され、該台車２３上において次ぎに述べる第二工程が実施される。
【００１５】
＜第二工程＞
第二工程は、図５、図６に示すように、前記台車２３上において支持ブラケット３等の各種部材装置を組み込むと共に、巻取りシャフト４と左右一対の支持ブラケット３との間に姿勢保持具８を取り付けることで、左右一対の支持ブラケット３を巻取りシャフト４に対して回転規制するようにした組み付けユニットＵを構成する工程である。
なお、姿勢保持具８は左右一対のものが用いられるが、これら一対は同様のものであり、ここでは図５に示す右側の支持ブラケット３と巻取りシャフト４の右側端部との間に姿勢保持具８を取付ける手順について詳述し、左側での姿勢保持具８の取り付け手順については省略する。
まず、図６（Ａ）に示すように、巻取りシャフト４の右端部４ａに支持ブラケット３を該巻取りシャフト４に対して回転自在な状態で組み込むが、このとき、該支持ブラケット３が回転してしまわないよう、ジャッキ等の支持具２４で下方から支持するものとする。
また、予め、巻取りシャフト４に巻装されるシャッターカーテン１の外周下半部に第一ベルト１０を配しておく（本実施の形態では両面粘着テープによる粘着である。）が、該第一ベルト１０の表面（シャッターカーテン１側とは反対面）は第一の面ファスナー１９のＢ面１９ｂとなっている。
次いで、図６（Ｂ）に示すように、姿勢保持具８の取付け体９を、開口部前方（若しくは後方）から前記支持ブラケット３の上片３ａに挿入し、支持棒１５、１５ａ間の中央位置が巻取りシャフト４の略中心位置に位置するまで前後スライドさせる（本発明の「取付け工程」に相当する。）。
【００１６】
この状態で、図６（Ｃ）に示すように、第二ベルト１１の基端部１１ａに設けられるループ１１ｂを第一支持棒１５に支持させた後（本発明の「支持工程」に相当する。）、第二ベルト１１の架け回し部１１ｃをシャッターカーテン１の下半部外周に沿うようにして架け回すことで（本発明の「架け回し工程」に相当する。）、第二ベルト１１に形成される第一の面ファスナーのＡ面１９ａを第一ベルト１０に形成される第一の面ファスナーのＢ面１９ｂに付着させる。そして、第二ベルト１１の前記架け回し部１１ｃよりも先端側である折返し部１１ｄを支持棒１５ａで折返し状に支持させ（本発明の「折返し工程」に相当する。）、さらに前記折返し部１１ｄよりも先端側の先端部１１ｅを前記架け回し部１１ｃの外面に積層するように架け回すことで（本発明の「積層工程」に相当する。）、第二の面ファスナーのＡ面２０ａと第二の面ファスナーのＢ面２０ｂとが付着することになり、このようにすることで、姿勢保持具８による支持ブラケット３と巻取りシャフト４の自由回転の規制がなされ、躯体側への取り付け姿勢を保持することができるように設定されている。
さらに、本実施の形態のものは、前述したように第二ベルト１１の架け回しが終わった後、テンション金具１６のテンション螺子１７を捩じ込んで押さえ具１８を押圧状に第二ベルト１１に当接させることで第二ベルト１１の緊張を確実なものとし（本発明の「緊張工程」に相当する。）、支持ブラケット３と巻取りシャフト４の回転規制をより十分なものとしている。
【００１７】
その後、図６（Ｄ）に示すように、支持ブラケット３の左右何れか一方（本実施の形態においては右側の支持ブラケット３）に開閉機５が組込まれた補助ブラケット７を組込むと共に、巻取りシャフト４の該側端にスプロケット２５を組み込む等して必要な部材を組込んで組み付けユニットＵを構成することになるが、前述したように、姿勢保持具８によって支持ブラケット３と巻取りシャフト４とは回転規制されていて組み付け姿勢に保持された組み付けユニットＵを、地上（台車２３上）において、作業性に優れた状態で精度よく組み付けることができる。
【００１８】
＜第三工程＞
第三工程は、図７に示すように、組み付けユニットＵを躯体開口部に取り付ける工程である。
まず、組み付けユニットＵを、フォークリフト等の重機２６を用いて躯体開口部のシャッター取付け位置へ持ち上げる。このとき、予め前記開口部に取り付けておいた位置決め部材２７等の各種の先行部材を用いて組み付けユニットＵの取付け位置を決定すると共に、左右のチェーンブロック２８を組み付けユニットＵの左右端に懸回して組み付けユニットＵが落下しないようにする。
そして、この状態で、左右の支持ブラケット３を躯体２に固定する作業を行う。このとき、組み付けユニットＵは、姿勢保持具８によって前記回転規制されていて、躯体２への組み付け姿勢に強制的に保持された状態で持ち上げられるため、高所での組み付けユニットＵの取付け作業が容易化され、煩雑な高所作業を軽減することができる。
【００１９】
＜第四工程＞
このようにして組み付けユニットＵを躯体２開口部に取り付ける作業が終わると、姿勢保持具８を組み付けユニットＵから取り外す第四工程が行われる。
第四工程では、まず、テンション金具１６を弛めてから第二ベルト１１の懸回を解き、該第二ベルト１１を取付け体９（支持棒１５）から取り外し、その後、シャッターカーテン１に巻き付けられている第一ベルト１０を取り外す。さらに、取付け体９を開口部前方（手前方向）に向けてスライド移動させて支持ブラケット３から取り外し、これによって、特許文献１のようにシャッターカーテン１を閉移動させる等の作業をせずに、姿勢保持具８を組み付けユニットＵから取り外すことができる。
以上の工程を経ることで、建築用シャッター装置を躯体開口部に組み付ける作業が完了する。
【００２０】
叙述の如く構成された本実施の形態において、支持ブラケット３の端縁部に着脱自在に取付けられ、支持棒１５、１５ａが設けられる取付け体９と、巻取りシャフト４に巻装されているシャッターカーテン１の下半部に貼着される長尺状の第一ベルト１０と、支持棒１５に基端部１１ａが支持され、シャッターカーテン１に架け回わされた架け回し部１１ｃよりも先端側の折返し部１１ｄを支持棒１５ａに折返し状に支持させ、さらに該折返し部よりも先端側の先端部１１ｅを前記架け回し部１１ｃの外面に積層して固定（付着）される長尺状の第二ベルト１１と、シャッターカーテン１外周面と第二ベルト１１の架け回し部１１ｃとのあいだを付着する第一の面ファスナー１９と、第二ベルト１１の架け回し部１１ｃと第二ベルト１１の先端部１１ｅとのあいだを付着する第二の面ファスナー２０とを備えて該姿勢保持具８を構成することで、巻取りシャフト４と支持ブラケット３との相対回動を規制することになって、組み付けユニットＵを組み付け姿勢に保持した状態で躯体２開口部の取付け位置まで持ち上げることができるため、組み付けユニットＵの大掛かりな姿勢矯正をする必要がなく、高所での作業となる躯体２開口部への組み付けユニットＵの組み込み作業の作業性がよいものとすることができる。
しかも、該姿勢保持具８は、長尺状の第一、第二のベルト１０、１１、第一、第二の面ファスナー１９、２０を用いているため付着位置を自在に変えることができ、これにより様々な巻径のシャッターカーテンに適応できることになって汎用性が高いものとなる。
【００２１】
さらに、テンション金具１６を用いて、押さえ具１８を第二ベルト１１に押圧状に当接させて該第二ベルト１１に緊張を与えることで、支持ブラケット３と巻取りシャフト４の回転規制をより十分なものとすることができ、組み付けユニットＵの姿勢保持をより確実なものとすることができる。
【００２２】
なお、本実施の形態において、第一、第二面ファスナー１９、２０を第一、第二ベルト１０、１１に設けるようにしたが、第一ベルト１０を用いるまでもなく、第一面ファスナーのＢ面１９ｂを第一ベルト１０として容易に代用することができる。一方、第二ベルト１１は、第二ベルト１１に設けられる面ファスナー１９ａ、２０ａ、２０ｂ自体に、回り止めするのに十分な強度が確保できるものであれば、面ファスナーをベルトに代用できることになる。
さらに、本発明の固定部材に相当する部材として第二の面ファスナー２０を用いて、第二ベルト１１の架け回し部１１ｃと先端部１１ｅとのあいだを付着（固定）するようにしたが、これに限定されず、例えばクリップや固定金具等の適宜固定部材を用いて架け回し部１１ｃと先端部１１ｅとを位置ズレしないよう着脱自在に固定するように構成してもよい。
【００２３】
また、設置現場における作業である第二工程で支持ブラケット３を巻取りシャフト４に組み込んだが、工場における作業である第一工程で予め巻取りシャフト４にシャッターカーテン１及び支持ブラケット３を組み込んでおき、第二工程で姿勢保持具８を取り付けるようにしてもよい。
さらにまた、姿勢保持具８が取り付けられた組み付けユニットＵを組み付け位置まで持ち上げる際に、チェーンブロックを地上まで下ろし、該チェーンブロックを組み付けユニットＵの左右端に係止した後、該チェーンブロックを引き上げるようにすることもできる。
【産業上の利用可能性】
【００２４】
本発明は、工場や倉庫、ショッピングセンター等の建築物の開口部、特に広い開口部に建築用シャッター装置を組み付けるための建築用シャッター装置の姿勢保持具および姿勢保持方法の技術分野に利用することができる。
【符号の説明】
【００２５】
１  シャッターカーテン
３  支持ブラケット
４  巻取りシャフト
８  姿勢保持具
９  取付け体
１１  第二ベルト
１５、１５ａ  支持棒
１６  テンション金具
１９  第一の面ファスナー
２０  第二の面ファスナー
【図１】
0005793437.tif 000002
【図２】
0005793437.tif 000003
【図３】
0005793437.tif 000004
【図４】
0005793437.tif 000005
【図５】
0005793437.tif 000006
【図６】
0005793437.tif 000007
【図７】
0005793437.tif 000008